(57)【要約】【課題】エロージョンの発生を防ぎ、弁の低開度域または微開度域での微少流量調整を可能とすることにより、高レンジアビリティを確実に実施できるようにしたバタフライバルブを提供することにある。【解決手段】筒状弁箱１に装着した弾性シートリング２内を円板状弁体３の回転で開閉するバタフライバルブであって、前記弁体３のオリフィス側８の弁体外周縁を下流側に向け、かつ、ノズル側９の弁体外周縁を上流側に向けて外周球面状の翼状片１０ａ，１１ａである押圧弁部１０，１１をそれぞれ設け、この押圧弁部１０，１１を微開度域で前記弾性シートリング２に押圧接触させると共に、オリフィス側８の押圧弁部１０のみに、弁二次側に沿って開口する流入部又は流路口を形成したことを特徴とするバタフライバルブである。【選択図】  図１
2008249150.tif 000002
【特許請求の範囲】
【請求項１】
筒状弁箱に装着した弾性シートリング内を円板状弁体の回転で開閉するバタフライバルブであって、前記弁体のオリフィス側の弁体外周縁を下流側に向け、かつ、ノズル側の弁体外周縁を上流側に向けて外周球面状の翼状片である押圧弁部をそれぞれ設け、この押圧弁部を微開度域で前記弾性シートリングに押圧接触させると共に、オリフィス側の押圧弁部のみに、弁二次側に沿って開口する流入部又は流路口を形成したことを特徴とするバタフライバルブ。
【請求項２】
前記翼状片の長さをノズル側とオリフィス側とで変え、オリフィス側の翼状片が弾性シートリングから離れる際に、ノズル側の翼状片が弾性シートリングに押圧されている状態を維持するようにした請求項１記載のバタフライバルブ。
【請求項３】
筒状弁箱に装着した弾性シートリング内を円板状弁体の回転で開閉するバタフライバルブであって、前記弁体のオリフィス側に弁体の外周縁に又は外周縁の下流側位置に円弧状のスリットを形成し、このスリットから下流側に向けて流体を連通させるように構成したことを特徴とするバタフライバルブ。
【発明の詳細な説明】
【技術分野】
【０００１】
本発明は、タイトシャット機能を有し、エロージョンの発生を防止することは勿論のこと、特に低開度域或は微開度域での微少流量調整を可能とし、高レンジアビリティに顕著な効果を有するバタフライバルブに関する。
【背景技術】
【０００２】
バタフライバルブは、構造が簡単で、軽量、低操作力といった特長を備えているので、ストップ弁として、或は、目的や用途に応じて流量調整弁として用いられている。特に、流量調整弁として用いると、低開度時に、弁体の下流側にキャビテーションが発生して振動や騒音を発生するばかりでなく、弁体や配管を損傷や侵食するいわゆるエロージョンが発生するおそれがある。
【０００３】
そこで、これらの課題を解決するため、これまで各種の対策手段が提案されている。
例えば、特開昭５７−１５７８６６号公報は、弁体の外周縁に櫛歯状突起を設け、この突起で流体をジェット流に変えて弁体の下流側に発生するキャビテーションを抑制しようとする方法である。また、実開昭６２−６５６８号公報は、弁体の両側外周部に帯部材を設け、これらの帯部材に多数の小孔群を形成して乱流を整流化しようとする方法であり、特公平５−７８７１３号または実開平５−８１３９号公報は、弁体の二次側に整流板を取付けてキャビテーションを防止しようとする手段である。更に、実用新案登録第２５８９８０５号公報は、偏心形弁体の一片側に翼体を設け、この翼体に多数の小孔を設けてキャビテーションを抑制しようとするバタフライ弁であり、実公平７−４３５５３号公報は、弁体の両側の周状突縁にそれぞれ小通孔を形成してキャビテーションを抑制しようとするバタフライ弁である。特開平７−２０８６１５号公報も弁体の両側の翼体にそれぞれ小孔を形成してキャビテーションを抑制しようとする弁である。
【０００４】
【特許文献１】特開昭５７−１５７８６６号公報
【特許文献２】実開昭６２−６５６８号公報
【特許文献３】特公平５−７８７１３号公報
【特許文献４】実開平５−８１３９号公報
【特許文献５】実用新案登録第２５８９８０５号公報
【特許文献６】実公平７−４３５５３号公報
【特許文献７】特開平７−２０８６１５号公報
【発明の開示】
【発明が解決しようとする課題】
【０００５】
しかしながら、上記に示した従来の方法は、何れも流体の流れを整流化させてキャビテーションの防止を図ることを主要目的としているため、低開度域または微開度域における流体の微量調整を行うことは実質的に不可能であり、低開度域または微開度域での流量調整用のコントロール弁としては不十分であるため、有効な高レンジアビリティ性能を有する実施品は存在していないのが実状であった。
【０００６】
例えば、空調機器に用いられるこの種のバタフライバルブは、夏の需要期には、全開状態で使用されるのに対して、それ以外の時期には、開度４０％以下の調整範囲における低開度域または微開度域状態で使用されるのが通常であり、使用目的によっては、この種のバルブは、低開度域または微開度域における流体制御に用いる場合も多くなる。
【０００７】
特に、このバタフライバルブは、弁座にリング状のゴムシートを装着して用いられているものが多く、これを低開度または微開度域で使用すると、弁体とゴムシートの間の流路が絞られて流速が早くなり、この流速によりゴムシートなどが侵食されるいわゆるエロージョン現象が発生するおそれもあった。
【０００８】
本発明は、従来の各種の問題点を解決するために開発したものであって、その目的とするところは、耐キャビテーション機能を有し、エロージョンの発生を防ぐことは勿論のこと、バルブの微開度域または低開度域での流体の微少流量調整を可能とすることにより、高レンジアビリティを発揮し、コントロール機能とタイトシャット機能に優れたバタフライバルブを提供することにある。
【課題を解決するための手段】
【０００９】
上記の目的を達成するため、請求項１に係る発明は、筒状弁箱に装着した弾性シートリング内を円板状弁体の回転で開閉するバタフライバルブであって、前記弁体のオリフィス側の弁体外周縁を下流側に向け、かつ、ノズル側の弁体外周縁を上流側に向けて外周球面状の翼状片である押圧弁部をそれぞれ設け、この押圧弁部を微開度域で前記弾性シートリングに押圧接触させると共に、オリフィス側の押圧弁部のみに、弁二次側に沿って開口する流入部又は流路口を形成したバタフライバルブである。
【００１０】
請求項２に係る発明は、翼状片の長さをノズル側とオリフィス側とで変え、オリフィス側の翼状片が弾性シートリングから離れる際に、ノズル側の翼状片が弾性シートリングに押圧されている状態を維持するようにしたバタフライバルブである。
【００１１】
請求項３に係る発明は、筒状弁箱に装着した弾性シートリング内を円板状弁体の回転で開閉するバタフライバルブであって、前記弁体のオリフィス側に弁体の外周縁に又は外周縁の下流側位置に円弧状のスリットを形成し、このスリットから下流側に向けて流体を連通させるように構成したバタフライバルブである。
【発明の効果】
【００１２】
以上のように、本発明によると、弾性シートリングを用いたタイトシャット可能なバタフライバルブであると共に、弾性シートリングのエロージョン現象を防止しつつ、従来に比較して著しく高いレンジアビリティを実現したバタフライバルブを提供することができる。
【００１３】
また、通常のシートリングを用いたバタフライバルブに、本発明における弁体を取り替えることにより低開度で使用可能な調節弁として利用できる。
【００１４】
更には、イコールパーセント特性等の流量調整範囲が広く、低騒音で、低トルクであり、安価なコントロール弁であるバタフライバルブを提供することが可能となる。
また、弁体は、傾斜して形成されているので、弁全閉位置から弁体を回動させた際、弁体が急激に動くいわゆるジャンピング現象の発生を抑えた上で、流量調節を開始することができるコントロール弁である。
【００１５】
また、オリフィス側とノズル側とで押圧弁部の長さを変えることにより、一方の押圧弁部がシートリングから離れても、他方の押圧弁部がシートリングに押圧されている状態が維持されるので、弁体のジャンピング現象の発生を確実に防ぐことができる。
【発明を実施するための最良の形態】
【００１６】
本発明を実施するための最良の形態を詳述するため、添付の図面に従ってこれを説明する。
図５、図６において、本例のバタフライバルブは、筒状の弁箱１の内周に、焼付け手段でＮＢＲやＥＰＤＭ等のゴム製の弾性シートリング２を装着し、このシートリング２内に円板状の弁体３を回転自在に設けて弁体３を開閉させるように構成している。
【００１７】
更に、図１に示すように、この弁体３の中央対向位置には、上ステム４と下ステム５を取付ける取付部６，７が形成され、また、弁体３の外周縁に形成した弁閉止部３ａ，３ｂは、弁閉止機能（タイトシャット機能）を発揮する形状を成している。
【００１８】
図４に示すように、弁体３は、オリフィス側弁閉止部３ａが、ノズル側弁閉止部３ｂに対して約３°の角度で弁一次側に傾斜して形成されている。これにより、オリフィス側弁閉止部３ａがシートリング２に対して浅い角度で接触し、シートリング２に押圧される範囲が狭くなり、オリフィス側弁閉止部３ａがシートリング２に食い込む量が少なくなるので、弁全閉位置から弁体３を回動させた際、弁体３が急激に動くいわゆるジャンピング現象の発生を抑えた上で、オリフィス側弁閉止部３ａがいち早くシートリング２から離れ、低開度から流量調節を開始することができる。
【００１９】
上記に示した傾斜角度は、低開度から流量調節を開始するためには小さい方が良く、一方、弁呼び径が小さくなるほど大きくする方がよい（例：１００Ａの場合が３°、５０Ａの場合が７°）。これは、呼び径の小さいバルブは弁体の半径が小さく、弁軸（ステム）の回転角に対して弁体の最大可動部（弁軸に対して直行する位置）における弁体の動きの幅が小さいためである。従って、この傾斜角度は、３°〜７°が好ましい。
【００２０】
また、第３、４図において、弁体３のステム４，５を中心にして、オリフィス側８とノズル側９に押圧弁部１０，１１を形成している。この押圧弁部１０，１１は、弁体３の低開度時に弾性シートリング２に押圧接触させて、特に、オリフィス側８のいわゆるエロージョン現象を防止している。このオリフィス側８とは、弁体３が上流側にある開口部をオリフィス側といい、ノズル側９とは、弁体３が下流側にある開口部をいう。
【００２１】
本例における押圧弁部１０，１１は、弁体３の両側外周縁に弁体３の閉方向側に向けてそれぞれ形成した翼状片（押圧弁部）１０ａ，１１ａであり、この翼状片１０ａ，１１ａは、弁体３の低開度時に弾性シートリング２を押圧接触する機能を有し、その外周面は、シートリング２の内周面に球面接触するように球面状に形成されている。この翼状片１０ａ，１１ａは、正圧と負圧とが均衡して圧力がバランスするので、軽い操作力で弁体３を動かすことができ、弁の操作トルクを著しく低減できる。
【００２２】
図４に示すように、ノズル側弁閉止部３ｂを基準に、オリフィス側８の翼状片１０ａの角度αを２７°とし、ノズル側９の翼状片１１ａの角度βを３０°として、同図中、α＜βとしている。これは、オリフィス側８の翼状片１０ａがシートリング２から離れ、オリフィス側８とシートリング２の間に形成される三日月形の流路（図示しない）に流体が流れる状態になっても、ノズル側９からは流体を流さないことにより、後述する連通部１３や流入口１４，１５、上記の三日月形の流路を通じて、所定の流量特性（イコールパーセント特性など）を得るためである。
【００２３】
また、このようにオリフィス側８とノズル側９とで押圧弁部１０，１１の長さを変えることにより、一方の押圧弁部がシートリング２から離れても、他方の押圧弁部がシートリング２に押圧されている状態が維持されるので、弁体３のジャンピング現象の発生を更に防ぐことができる。
【００２４】
この押圧弁部１０，１１の長さは、流量制御やキャビテーション抑制などを考慮して設定する。この設定はバルブの口径によっても異なり、例えばバルブ呼び径５０Ａではα＜βが好ましいが、呼び径１５０Ａなど口径が大きくなるに従って、キャビテーションの抑制を考慮する度合いが高くなる場合は、α＞βとする場合もある。従って、αとβとは、弁体３のジャンピング現象の発生を抑制する点からは、α≠βの関係であればよい。
【００２５】
また、本実施例においては、押圧弁部１０，１１の径φＢと弁体３の径φＡとは同一寸法であるが、図１１、図１２に示すように、押圧弁部１０，１１の径φＢは、弁体３（弁閉止部３ａ）の径φＡよりも小さく形成してもよく、この場合、弁体３によるシートリング２への押圧量ａよりも押圧弁部１０ａ，１１ａによるシートリング２への押圧量ｂの方が少なく設けられている。即ち、径φＢをφＡよりも小さくすることにより、シートリング２の押圧量をａ＞ｂとして弁体３の回動に伴うφＢ側の摺動抵抗を小さくし、弁体３の低開度時におけるジャンピング現象を防止している。
【００２６】
図１に示すように、弁体３のオリフィス側８には、弁体３の外周縁に又は外周縁の下流側位置に空隙部（スリット）１２を形成しており、この空隙部１２から下流側に向けて連通する連通部（連通穴）１３を形成している。この空隙部（スリット）１２は、弁微開度域（本例では３°〜５°）において、弁一次側から連通部１３を経由して弁二次側に流れる流体を減衰させ、その圧力が流体の飽和水蒸気圧を下回らないようにし、キャビテーションの発生を防ぐために設けられる。すなわち、図９において、空隙部１２の内壁１２ａが抵抗板の機能を発揮するため、空隙部１２は、圧力室としての機能を有する。この空隙部（スリット）１２の幅は、流体を多く流すためには広い方がよいが、スリット１２へのシートリング２の食い込みを防止するためには狭いほうがよい。更に、このスリット１２を鋳造時に形成する場合等を考慮し、弁の呼び径によっても異なるが、最適な寸法を、３ｍｍ〜１０ｍｍとした。スリット１２の深さは、流最設定や鋳造成形を考慮し、弁体の最大可動部と弁体中心との距離の１／３〜１／２としている。
【００２７】
この連通部１３は、弁微開度域において、弁一次側から弁二次側に流れる流量を制御するために設けられており、本例においては、オリフィス側の最大回動部位に４個設けているが、これらの大きさ、形、数は、実施に応じて任意であり、孔径や配列間隔を変更して、流量特性を任意に変えることができる。
【００２８】
更に、連通部１３は、スリット１２の底部付近に設けることにより、スリット１２内でキャビテーションの影響を十分に取り除いた状態で、弁二次側に流体を流すことができる。連通部１３の形状や数は、目的の流体特性に応じて任意であるが、その開口面積の総和は、弁体外周部におけるスリット１２の開口面積と同等以上とすることにより、スリット１２に流入した流体を極度に絞ることなく効率良く二次側に導くことができる。
【００２９】
また、オリフィス側８の翼状片１０ａには、図１に示すように、外周面から下流側に向けて流入する微少流入部（流入穴）１４が、放射状に複数個設けられ、または、図９及び図１３に示すように、外周面から下流側に向けて流入する微少流入部（流入穴）１４と微少流入部１５が、放射状に複数個設けられており、この流入部１４，１５は、それぞれ整流作用をなすように設けられている。なお、微少流入部１５は、微少流入部１４側よりもスリット１２側に設けられる流入穴であり、弁軸（ステム）の回転各に対する流量制御の分解能を上げるために設けられ、特に弁呼び径が大きいバルブ、例えば、バルブ呼び径２００Ａ以上に設けるのが好ましい。
【００３０】
この流入穴１４，１５は、主に弁低開度域（本例では５°〜３０°）において、連通部１３と共に、弁一次側から弁二次側に流れる流量を制御するために設けられる。
【００３１】
本例では、図１・図２に示すように、同一形状の円形流入口（流入部）１４を、翼状片１０ａの球状外周面の経線上で、且つ弁体３の最大可動部を中心として２０度の角度間隔で、５個配置している。弁開時には、弁体３の回転に伴ってこの５つの穴１４に同時に流体が流れ始め、弁開度が大きくなるにつれて、それぞれの穴１４を通過する流量は、その位置の差によって異なってゆく。
【００３２】
一方、図４に示すように、弁体３のノズル側９には、弁一次側と二次側とを連通する孔を設けていないため、弁微開度域や弁低開度域における流体は、全てオリフィス側８の弁体３に設けられた連通部１３や流入穴１４を経由して流れるので、弁低開度域においても正確な流量制御を行うことができ、高レンジアビリティを実現したバタフライバルブを得ることができる。
【００３３】
図中１６は配管１７に固着したフランジ部で、このフランジ部１６，１６の間に本例のバタフライバルブをボルト、ナットで狭持して装着している。
【００３４】
次に、上記実施形態の作用を説明する。
図５において、弁体３が全閉状態（弁開度０％）のとき、水等の液体（流体）が矢印に示す右側より流入すると、弁体３の弁閉止部３ａ，３ｂがゴム製のシートリング２に押圧密接して全閉状態を保持している。
【００３５】
全閉状態において、ノズル側弁閉止部３ｂは、シートリング２に対してやや傾斜して押圧密接しており、オリフィス側弁閉止部３ａは、それより更に傾斜した角度でシートリング２に押圧密接している。
【００３６】
次に、図９に示すように、弁体３を反時計回りへ回動させて弁開度（５〜１０％）にすると、前述のようにオリフィス側弁閉止部３ａがジャンピング現象を生ずることなくシートリング２から離れ、続いてノズル側弁閉止部３ｂがシートリング２から離れる。
【００３７】
この場合、弁体３のオリフィス側最大回動部付近から微少流量の液体が整流され、渦流や乱流の発生が抑止されながら連通部１３より弁二次側に連通し、とりわけスリット１２に微少流量の液体が流入した際、液体が空隙部１２の内壁１２ａに衝突することにより、飽和水蒸気圧を下回らない程度にその勢いが減じられ、低圧部の発生が阻止され、キャビテーションの発生を抑止しつつ、騒音の発生を抑えながら微少流量調節を行うことができる。続いて順次、弁体３を回転するに従って、空隙部１２の開口面積が増加して流量が少しずつ増えていくので、微少流量を高精度に制御することができコントロール弁として機能する。
【００３８】
即ち、弁体３の押圧弁部１０、本例では、翼状片１０ａが弾性シートリング２を押圧接触するので、液体は押圧弁部１０と弾性シートリング２の間を通過することなく、確実に連通部１３を通過する。従って、いわゆるエロージョン現象により弾性シートリング２が侵食されることなく、連通部１３の形状に依存した微少流量制御を行うことができる。
【００３９】
なお、図１１と図１２において、弁開度０％のときの弁閉状態から弁開度１０％にすると、押圧弁部１０，１１によるシートリング２の押圧量がａ＞ｂであるから、押圧弁部１０，１１の球面状の翼状片１０ａ，１１ａがシートリング２の内周面を弁閉止部３ａによるシートリング２への押圧力よりも弱い力で押圧しており、微少開度において、弁軸を回動する際の摺動抵抗が小さいので、弁体３が急激に回転することなく、微少に開度を調整することができるため、いわゆるジャンピング現象を確実に防ぐことができる。
【００４０】
次に、図１０に示すように、弁開度１５％にすると、液体（流体）は、最大回転部の弁体３より空隙部１２を通って、連通部１３より整流されながら流出すると共に、微少流入部１５より流入するので、液体は、整流されながら、しかも、渦流や乱流が抑止され、かつ流速の急激な増加が抑制され、低圧部の発生を防ぐことができるため、キャビテーションの発生を防ぎ、かつ、微少流量を整流化しながら調節することができる。
【００４１】
この弁開度においても、弁体３の押圧弁部１０が弾性シートリング２を押圧接触するので、液体は押圧弁部１０と弾性シートリング２の間を通過することなく、確実に連通部１３及び微少流入部１５を通過する。従って、いわゆるエロージョン現象により弾性シートリング２が侵食されることなく、連通部１３及び微少流入部１５の形状に依存した微少流量制御を行うことができる。
【００４２】
更に、図６に示すように、弁開度２８％にすると、オリフィス側８では、液体は、空隙部１２から連通部１３を連通し、微少流入部１４，１５より放射状に流入するので、弁体３がオリフィス側８を通過したときに、オリフィス側での渦流や乱流が抑止され、かつ、整流化されながら流入し、キャビテーションの発生が抑制され、エロージョンを防止し、しかも騒音や振動の発生が抑制される。
【００４３】
この図６に示す弁開度においては、液体は押圧弁部１０と弾性シートリング２の間も通過するが、連通部１３及び微少流入部１４，１５にも分散して液体が流れるため、いわゆるエロージョン現象により弾性シートリング２が侵食されることはない。
【００４４】
このように、図５及び図６に示すように、弁体３が回転すると、押圧弁部１０，１１の球面状の翼状片１０ａ，１１ａがシートリング２の内周面を押圧しているので、微少開度において、シートリング２の弾発力によって、弁体３が急激に回転することなく、微少に開度を調整することができるため、いわゆるジャンピング現象を確実に防ぐことができると共に、流量調整を可能としたコントロール弁としての機能を発揮する。
【００４５】
また、ゴムシートを用いたバタフライバルブの場合は、図７及び第８に示した比較例から明らかなように、弁開度３０°〜７０°の範囲で弁体の位置を調節し、流量の制御を行うのが一般である。これに対して、本例よると、同図に示すように、０°〜３０°の範囲で、流量調節を可能とし、流量調節可能な弁開度におけるＣｖ値を可能な範囲で小さくすることができ、高レンジアビリティ性能を得ることができる。図７は、本発明における弁開度とＣｖ値の関係を示し、高レンジアビリティ状態を示したグラフで、高レンジアビリティ特性を示している。なお、この場合、全開になるに従って、Ｃｖ値が比較品より下がるが、特に空気調和機への温水や冷水の供給ラインに本発明のバタフライバルブを用いる場合には、通常は、低開度での使用であるから、実際の使用には影響がない。
【００４６】
同図において、データはいずれも弁呼び径１００Ａのものであり、弁体材質はＳＣＳ１３Ａである。比較品データは、公知の中心形弁体を用いたバタフライバルブのものであり、弁体には流路口や翼部は形成されていない。また、シートリング等の他の部品は、本発明品と共通である。
【００４７】
同図における比較例は、弁開度約３０％〜８０％の範囲で正確な流量制御を行うことができ、１０：１のレンジアビリティとなっている。一方、本発明品は、弁開度約１０％〜１００％の範囲で正確な流量制御を行うことができ、２００：１の高レンジアビリティ特性を得ることが確認された。
【００４８】
図１３は、本発明におけるバタフライバルブの他例を示したもので、上記の例と同一部分は、同一符合で示し、その説明を省略する。同図において、スリットを設けることなく、複数個の流路孔１３ａを設け、微開度域において、この連通部（流路口）１３ａを介して流体が流入されて流量調節を可能としており、上記の例と略同様の作用効果を有する。
【００４９】
図１４〜図１６は、本発明における弁体の他例を示したもので、弁体１８の外周にスリット１９とスリット２０を形成し、更に、連通穴２１と連通穴２２を形成して、流体を整流化すると共に、弁体１８の後流側での低圧部の発生を防ぎ、キャビテーションの抑制と共に、低開度域における流量制御を可能としたものである。この場合、連通穴２１の径＞連通穴２２の径の関係になるように設定し、弁開度が大きくなるに従って流量を多くするようにしている。
【００５０】
また、スリット１９とスリット２０の大きさをスリット１９＞スリット２０の関係になるように設置し、流体圧を段階的に減衰させてキャビテーションの発生を防いでいる。即ち、図１５、図１６に示すように、スリット１９＞スリット２０の関係にして、飽和水蒸気圧以下にならないように制御し、キャビテーションの発生を防いでいる。
図１７は、本発明における弁体２３の更に他例を示したものであり、スリット２４，２５，２６を設け、連通穴２７，２８，２９を設けている。この他例も、上記の各実施例と
略同様の作用効果を発揮することは勿論である。
なお、本発明における各例のバタフライバルブの上流側にストレーナを配置してバルブシステムとして用いることにより、ストレーナで異物が除去された後の液体を本発明のバタフライバルブに導くことができ、連通部１３や流入部１４，１５が目詰まりすることなく、精度の高い流量制御を継続することができる。
【図面の簡単な説明】
【００５１】
【図１】本発明におけるバタフライバルブに用いる弁体の一例を示した斜視図である。
【図２】図１の正面図である。
【図３】図２のＡ−Ａ線断面図である。
【図４】図２の平面図である。
【図５】本発明におけるバタフライバルブの弁開度０％の状態を示す断面図である。
【図６】図５における弁開度２８％と１００％の全開状態を示す断面図である。
【図７】本発明におけるバタフライバルブの高レンジアビリティ特性を示したグラフである。
【図８】図７における低開度域範囲を拡大して示したグラフである。
【図９】弁開度１０％のオリフィス側の状態を示した部分拡大断面図である。
【図１０】図９における弁開度１５％の状態を示した部分拡大断面図である。
【図１１】弁体のジャンピング現象について説明した弁開度０％の部分説明図である。
【図１２】図１１において弁開度１０％の状態を示した部分説明図である。
【図１３】図９に示した例の他の実施例を示す部分拡大断面図である。
【図１４】本発明におけるバタフライバルブの他例を示した断面説明図である。
【図１５】図１４における弁体の一部切欠き拡大図である。
【図１６】図１５における弁体構造でキャビテーション発生の防止を説明する説明図である。
【図１７】本発明におけるバタフライバルブの更に他の例を示した弁体の一部切欠き拡大図である。
【符号の説明】
【００５２】
１  筒状弁箱
２  弾性シートリング
３  弁体
３ａ  オリフィス側弁閉止部
３ｂ  ノズル側弁閉止部
８  オリフィス側
９  ノズル側
１０，１１  押圧弁部
１０ａ，１１ａ  翼状片
１２  空隙部（スリット）
１３  連通部
１４，１５  流入部
【図１】
2008249150.tif 000003
【図２】
2008249150.tif 000004
【図３】
2008249150.tif 000005
【図４】
2008249150.tif 000006
【図５】
2008249150.tif 000007
【図６】
2008249150.tif 000008
【図７】
2008249150.tif 000009
【図８】
2008249150.tif 000010
【図９】
2008249150.tif 000011
【図１０】
2008249150.tif 000012
【図１１】
2008249150.tif 000013
【図１２】
2008249150.tif 000014
【図１３】
2008249150.tif 000015
【図１４】
2008249150.tif 000016
【図１５】
2008249150.tif 000017
【図１６】
2008249150.tif 000018
【図１７】
2008249150.tif 000019